(57)【特許請求の範囲】
【請求項１】
開閉扉を収納機本体に対し施錠する主錠装置とは別に、それら開閉扉と収納機本体間を、そのコーナー部にて、鋼製のワイヤーロープ又はロッドでＬ形に形成したアームを用いて連結し補助的にロックする防犯ロック装置において、
前記鋼製アームの一端軸部には、前記開閉扉又は前記収納機本体側に固着し錠機構を内蔵した施解錠可能な錠本体と、該錠本体にその施解錠動作に応じて着脱自在に嵌着し、前記鋼製アームの一端軸部を嵌入する挿通穴および該挿通穴へと通ずる雌ねじ穴を設けた錠止部材とからなる錠前手段を連結する一方、前記鋼製アームの他端軸部には、それを嵌入する挿通穴および該挿通穴へと通ずる雌ねじ穴を設けたスライドブロックを摺動自在に連結し、
前記鋼製アームの一端軸部には、前記スライドブロックの前記開閉扉又は前記収納機本体に対する取付動作を考慮して所定長さ間隔をあけて段付きのストッパ部を形成する一方、他端軸部には、前記錠前手段の前記錠本体に対する前記錠止部材の着脱動作を考慮して所定長さ間隔をあけた段付きのストッパ部を形成し、
前記錠止部材は、その雌ねじ穴にスタッドの雄ねじ部を捩じ込み、該スタッドの先端部を前記挿通穴内の前記ストッパ部間に突出させて前記鋼製アームの一端軸部に連結する一方、前記スライドブロックは、その雌ねじ穴にスタッドの雄ねじ部を捩じ込み、該スタッドの先端部を前記挿通穴内の前記ストッパ部間に突出させて前記鋼製アームの他端軸部に連結し、
該鋼製アームを、前記スライドブロックの取付時は、前記錠前手段側において、前記スタッドの先端部が前記ストッパ部に当たって規制されるストローク範囲内で、前記スライドブロックの前記収納機本体に対する取付動作に応じて移動可能に構成する一方、前記開閉扉の施解錠時に前記施止部材を前記錠本体に対して着脱させるときは、前記スライドブロック側において、前記スタッドの先端部が前記ストッパ部に当たって規制されるストローク範囲内で、前記錠本体に対する前記施止部材の着脱動作に応じて移動可能に構成してなることを特徴とする、防犯ロック装置。
【発明の詳細な説明】
【０００１】
【発明の属する技術分野】
本発明は、自動販売機などに使用されるもので、主たる錠装置とは別に、開閉扉と商品等の収納機本体間を鋼製アームを用いて連結し補助的にロックするために設置される防犯ロック装置に関する。
【０００２】
【従来の技術】
従来、自動販売機などでは、たとえば図５に示すように、収納した商品や貨幣を出し入れする正面の開閉扉１に錠装置２が組み込まれているが、バール等の適宜工具を使って不正に解錠されたり、破壊されたりして盗難に会うことがあるため、主たる錠装置２とは別に、開閉扉１と商品等の収納機本体３間をコーナー部にて鋼製チェーンｃで連結して補助的にロックする防犯ロック装置Ｒ１を組み付け、このロック装置Ｒ１と主錠装置２とで二重にロックしている。
【０００３】
このチェーン式防犯ロック装置Ｒ１は、開閉扉１に、錠機構１ａを内蔵した錠本体１ｂを固着するとともに、錠本体１ｂにその施解錠動作に応じて着脱自在に錠止部材１ｃを嵌着する一方、収納機本体３の側面にシャックル４を固着し、シャックル４と錠止部材１ｃ間をチェーンｃで繋いでロックした構造になっている。ロックを解除するときは、錠機構１ａにキーを差し込み、錠本体１ｂを解錠して錠止部材１ｃとの係合を解いてから、錠止部材１ｃを錠本体１ｂから抜き出す。
【０００４】
しかし、チェーン式防犯ロック装置Ｒ１では、大型のカッタ等を使ってチェーンｃが切断されることがあり、その結果、開閉扉１が開放されて盗難を十分に防止できないという問題があった。
【０００５】
そこで、従来の防犯ロック装置の中には、鋼製アームとして、チェーンに代え、より剛性の高い、たとえば図６（ａ）・（ｂ）にそれぞれ示すように、ステンレス製ロッドｒ又はワイヤーロープｗを使用したものがある。
【０００６】
ロッド式防犯ロック装置Ｒ２は、同図（ａ）に示すように、ロッドｒをＬ字状に曲げ成形し、一端軸部に、錠本体１ｂと錠止部材１ｃとからなる錠前手段５を付設する一方、他端軸部上には、固定用のブラケット６を摺動自在に取り付けるとともに、抜け止め用にリング状のストッパ７を端縁に取り付けた構造にしている。
【０００７】
ワイヤー式防犯ロック装置Ｒ３は、同図（ｂ）に示すように、ワイヤーロープｗの一端軸部を、錠本体１ｂに嵌着したＵ字状の錠止部材１ｃに、連結用の鋼製リング８を介して連結し、他端軸部を、収納機本体に固着したシャックル４に鋼製リング９を介して連結した構造にしている。
【０００８】
【発明が解決しようとする課題】
ところが、従来のロッド式防犯ロック装置Ｒ２では、ストッパ７を壊して取り外すことによってロッドｒが引き抜かれ、その結果、開閉扉１が開放されて、盗難を十分に防止できないという課題があった。
【０００９】
一方、ワイヤー式防犯ロック装置Ｒ３では、鋼製リング８・９を大型のカッタ等を使って切断することによってワイヤーロープｗが取り外され、その結果、同様に開閉扉１が開放されて、やはり盗難を十分に防止できないという課題があった。
【００１０】
そこで、本発明の目的は、自動販売機等における盗難防止効果をより一層高めることのできる防犯ロック装置を提供することにある。
【００１１】
【課題を解決する手段】
したがって、請求項１に記載の発明は、たとえば以下に示す図示実施の形態のとおり、開閉扉Ｂを収納機本体Ａに対し施錠する主錠装置Ｃとは別に、それら開閉扉Ｂと収納機本体Ａ間を、そのコーナー部にて、鋼製のワイヤーロープ又はロッドでＬ形に形成したアーム１０を用いて連結し補助的にロックする防犯ロック装置Ｒにおいて、前記鋼製アーム１０の一端軸部には、前記開閉扉Ｂ又は前記収納機本体Ａ側に固着し錠機構を内蔵した施解錠可能な錠本体２０と、該錠本体２０にその施解錠動作に応じて着脱自在に嵌着し、前記鋼製アーム１０の一端軸部を嵌入する挿通穴２２および該挿通穴２２へと通ずる雌ねじ穴２３を設けた錠止部材２１とからなる錠前手段１１を連結する一方、前記鋼製アーム１０の他端軸部には、それを嵌入する挿通穴２５および該挿通穴２５へと通ずる雌ねじ穴２６を設けたスライドブロック１２を摺動自在に連結し、前記鋼製アーム１０の一端軸部には、前記スライドブロック１２の前記開閉扉Ｂ又は前記収納機本体Ａに対する取付動作を考慮して所定長さ間隔をあけて段付きのストッパ部１４ｂを形成する一方、他端軸部には、前記錠前手段１１の前記錠本体２０に対する前記錠止部材２１の着脱動作を考慮して所定長さ間隔をあけた段付きのストッパ部１５ｂを形成し、前記錠止部材２１は、その雌ねじ穴２３にスタッド１９の雄ねじ部１９ｂを捩じ込み、該スタッド１０の先端部１９ａを前記挿通穴２２内の前記ストッパ部１４ｂ間に突出させて前記鋼製アーム１０の一端軸部に連結する一方、前記スライドブロック１２は、その雌ねじ穴２６にスタッド２７の雄ねじ部２７ｂを捩じ込み、該スタッド２７の先端部２７ａを前記挿通穴２５内の前記ストッパ部１５ｂ間に突出させて前記鋼製アーム１０の他端軸部に連結し、該鋼製アーム１０を、前記スライドブロック１２の取付時は、前記錠前手段１１側において、前記スタッド１９の先端部が前記ストッパ部１４ｂに当たって規制されるストローク範囲内で、前記スライドブロック１２の前記収納機本体Ａに対する取付動作に応じて移動可能に構成する一方、前記開閉扉Ｂの施解錠時に前記施止部材２１を前記錠本体２０に対して着脱させるときは、前記スライドブロック１２側において、前記スタッド２７の先端部が前記ストッパ部１５ｂに当たって規制されるストローク範囲内で、前記錠本体２０に対する前記施止部材２１の着脱動作に応じて移動可能に構成してなることを特徴とする。
【００１４】
【発明の実施の形態】
以下、図面を参照しつつ、本発明の実施の形態について説明する。
【００１５】
図４は、本発明による防犯ロック装置を自動販売機に組み付けた状態を示す外観斜視図である。図中符号Ａは自動販売機における商品等の収納機本体、Ｂは開閉扉、Ｃは開閉扉Ｂに組み込まれた従来と同様な主たる錠装置を示している。そして、符号Ｒは、本発明の一例である防犯ロック装置で、収納機本体Ａと開閉扉Ｂ間をコーナー部にて連結して補助的にロックしている。したがって、この防犯ロック装置Ｒと主錠装置Ｃとで、開閉扉Ｂは二重にロックされる。
【００１６】
防犯ロック装置Ｒは、図１および図２に示すように、いずれも鋼製部材からなる、アーム１０と、鋼製アーム１０の一端軸部に連結する錠前手段１１と、他端軸部に連結するスライドブロック１２とを備えた構成になっている。
【００１７】
鋼製アーム１０は、ワイヤーロープ１３と、その両端軸部に固着した管軸１４・１５を備え、少なくとも外部に露出したワイヤーロープ１３の外周を外装テープで被覆している。管軸１４・１５は、それぞれ片側に円筒部１４ａ・１５ａを有する一方、他側を、その端縁部分を残して所定長さ細径に成形し、そこに形成された環状凹部の両端に段付きのストッパ部１４ｂ・１５ｂを形成してなる。ストッパ部１４ｂ間は、後述するが、スライドブロック１２の収納機本体Ａに対する取付動作を考慮して所定長さ間隔をあけて形成する一方、ストッパ部１５ｂ間は、錠前手段１１の錠本体２０に対する錠止部材２１の着脱動作を考慮して所定長さ間隔をあけて形成している。そして、ワイヤーロープ１３は、両端軸部をそれぞれ管軸１４・１５の円筒部１４ａ・１５ａに圧入し、その円筒部１４ａ・１５ａの外周をカシメて管軸１４・１５が固着されている。
【００１８】
錠前手段１１は、錠機構として、シリンダ錠を内蔵した施解錠可能な錠本体２０と、錠本体２０にその施解錠動作に応じて着脱自在に嵌着した錠止部材２１とからなる。錠本体２０には、嵌合凹部２０ａを設け、その嵌合凹部２０ａの底面に、図示しないが、一対の係合穴が設けられている。
【００１９】
一方、錠止部材２１は、アーム連結部２１ａと、錠本体２０の嵌合凹部２０ａと対応した外形状をなす嵌合凸部２１ｂとからなる。アーム連結部２１ａは、端面側で開口した挿通穴２２を穿設し、一側面に挿通穴２２へと通ずる一対の平行な雌ねじ穴２３を設けてなる。嵌合凸部２１ｂには、錠本体２０の上記係合穴と対応する一対の平行な係合ピン２４を立設している。係合ピン２４には、それぞれ上記シリンダ錠のロックプレートが係合する切欠き溝２４ａが対向して設けられている。符号１９は、軸部１９ａの基端外周に、錠止部材２１の雌ねじ穴２３に捩じ込む雄ねじ部１９ｂを設けたスタッドである。
【００２０】
そして、錠止部材２１は、アーム連結部２１ａの挿通穴２２内に、鋼製アーム１０の管軸１４のストッパ部１４ｂを嵌入する一方、雌ねじ穴２３にスタッド１９の雄ねじ部１９ｂを捩じ込んで鋼製アーム１０に連結してなる。スタッド１９は、軸部１９ａの先端部が挿通穴２２内でストッパ部１４ｂ間まで突出し、これによって、鋼製アーム１０がストッパ部１４ｂ間にあいた長さ距離だけ移動できるように規制している。
【００２１】
スライドブロック１２は、一端面側で開口した挿通穴２５を穿設し、一側面に挿通穴２５へと通ずる一対の平行な雌ねじ穴２６を形成してなる。符号２７は、軸部２７ａの基端外周に、雌ねじ穴２６に捩じ込む雄ねじ部２７ｂを設けたスタッドである。
【００２２】
さて、上述した構成の防犯ロック装置Ｒでは、図４に示すように、自動販売機Ａのコーナー部にて、錠前手段１１は開閉扉Ｂ側に組み付け、スライドブロック１２は収納機本体Ａの片側側面に組み付ける。この組み付け時、錠前手段１１の錠本体２０は、開閉扉Ｂの外装板の内側から、ボルト２８（図２参照）やナット２９を用い、座板３０を介して開閉扉Ｂの外装板に締着する。
【００２３】
一方、スライドブロック１２は、挿通穴２５に鋼製アーム１０の管軸１５のストッパ部１５ｂを嵌入する一方、収納機本体Ａの外装板の内側から、スタッド２７の雄ねじ部２７ｂを雌ねじ穴２３に捩じ込んで、鋼製アーム１０に連結する。そして、図３に示すように、軸部２７ａの先端部を、挿通穴２５内でストッパ部１５ｂ間まで突出させ、このスタッド１５によって、鋼製アーム１０がストッパ部１５ｂ間にあいた長さ距離だけ移動できるように規制している。次いで、スタッド２７の雄ねじ部２７ｂにナット３５を螺合し、ワッシャー３６と座板３７を介して収納機本体Ａの外装板に締着する。このときは、錠前手段１１側において、スタッド１９の先端部がストッパ部１４ｂに当たって規制されるストローク範囲内で、必要に応じ、鋼製アーム１０を自動販売機の図４中前後方向に移動させながら、スライドブロック１２を取り付ける作業を行うことができる。
【００２４】
開閉扉Ｂをロックするときは、主錠装置Ｃと、防犯ロック装置Ｒとで二重に施錠する。防犯ロック装置Ｒでは、錠前手段１１において、錠本体２０の嵌合凹部２０ａに錠止部材２１の嵌合凸部２１ｂを嵌め込み、係合ピン２４をそれぞれ錠本体２０側の係合穴に係合し、錠止部材２１を錠本体２０に対し嵌着する。そして、前記シリンダ錠にキーを差し込んで施錠操作し、シリンダ錠のロックプレートを押し出して錠止部材２１の切欠き溝２４ａに係合させることにより施錠する。
【００２５】
開閉扉Ｂのロックを解除するときは、主錠装置Ｃを解錠するとともに、防犯ロック装置Ｒを解錠するが、そのときは、シリンダ錠にキーを差し込んで解錠操作し、ロックプレートを引き戻して錠止部材２１との係合を解く。そして、錠本体２０から錠止部材２１を取り外すと、開閉扉Ｂのロック状態が解除される。
【００２６】
このように防犯ロック装置Ｒにより開閉扉Ｂを施解錠するときは、スライドブロック１２側において、スタッド２７の先端部がストッパ部１５ｂに当たって規制されるストローク範囲内で、必要に応じ、鋼製アーム１０を自動販売機の図４中前後方向に移動させながら、錠止部材２１を錠本体２０に対して嵌着し又は取り外す作業を行うことができる。
【００２７】
ところで、上述した図示実施の形態における防犯ロック装置Ｒでは、錠前手段１１を開閉扉Ｂ側に、スライドブロック１２を収納機本体Ａ側に組み付けた例を示したが、反対に、錠前手段１１を収納機本体側に、スライドブロック１２を開閉扉側に組み付ける場合にも適用することができることは、勿論である。
【００２８】
また、上述した図示実施の形態における防犯ロック装置Ｒでは、鋼製アーム１０をワイヤーロープ１３を用いて形成したが、本発明は、ワイヤーロープに代え、たとえばステンレス製のロッド単体で鋼製アームを同様に形成する場合にも適用することができる。
【００２９】
なお、上述した図示実施の形態では、防犯ロック装置Ｒを自動販売機に適用し、その開閉扉Ｂをロックする例を示したが、本発明は、自動販売機に限らず、盗難防止のために、主錠装置とで開閉扉を二重にロックすることが必要な開閉扉付きの重要機器に広く適用することができる。
【００３０】
【発明の効果】
上述の如く構成した本発明によれば、防犯ロック装置において、鋼製アームの他端軸部に、段付きのストッパ部を設け、そのストッパ部を含む他端軸部をスライドブロックの挿通穴内に嵌入して覆った構成であるため、従来のように外部に露出したストッパが壊されたり、連結用の鋼製リングが切断されたりして開閉扉が開放される問題の発生を防止することができ、その結果、自動販売機等における盗難防止効果を一段と高めることができる。
【００３１】
また、本発明の防犯ロック装置によれば、スライドブロックの取付時は、開閉扉又は収納機本体に対し、スタッドを捩じ込んでスライドブロックを固定する一方、鋼製アームは、スタッドの先端部がストッパ部に当たって規制されるストローク範囲内で、錠本体に対する錠止部材の着脱動作に応じて移動可能に構成しているため、施解錠時、必要に応じ鋼製アームを移動することにより、錠前手段の錠止部材を錠本体に対して嵌着し又は取り外す作業を、自由度をもって且つスムーズに行うことができる。
【００３２】
しかも、本発明の防犯ロック装置によれば、スライドブロックにストッパ部へと通ずる雌ねじ穴を設け、スライドブロックの取付時は、開閉扉又は収納機本体に対しスタッドを雌ねじ穴に捩じ込んでスライドブロックを固定し、スタッドが、ストッパ用部品並びに固定用部品を兼ねる構成であるため、それだけ部品点数を削減して構造を簡略化し、コストも低減させることができる。
【図面の簡単な説明】
【図１】  本発明による防犯ロック装置の分解斜視図である。
【図２】  その防犯ロック装置の組立斜視図である。
【図３】  （Ａ）はＢ図中の線Ａ−Ａに沿って得た断面図、（Ｂ）はＡ図中の線Ｂ−Ｂ沿って得た断面図である。
【図４】  本発明による防犯ロック装置を自動販売機に組み付けた状態を示す外観斜視図である。
【図５】  従来のチェーン式防犯ロック装置を組み付けた自動販売機の概略正面図である。
【図６】  （ａ）は従来のロッド式防犯ロック装置を示す斜視図、（ｂ）従来のワイヤーロープ式防犯ロック装置を示す斜視図である。
【符号の説明】
Ａ              収納機本体
Ｂ              開閉扉
Ｃ              主錠装置
Ｒ              防犯ロック装置
１０            鋼製アーム
１１            錠前手段
１２            スライドブロック
１３            ワイヤーロープ
１５ｂ          ストッパ部
２０            錠本体
２１            錠止部材
２５            スライドブロックの挿通穴
２６            スライドブロックの雌ねじ穴
２７            スタッド
【図１】
0003701018.tif 000002
【図２】
0003701018.tif 000003
【図３】
0003701018.tif 000004
【図４】
0003701018.tif 000005
【図５】
0003701018.tif 000006
【図６】
0003701018.tif 000007